(57)【要約】      （修正有）【課題】ニュース放送及び講演などの場合で、使用が便利でライブ視聴及び録画に影響を与えないプロンプタを提供する。【解決手段】本体、ディスプレイ及び空中結像素子３３を含み、空中結像素子が、ディスプレイの上方に配置され、本体がディスプレイに接続されており、ディスプレイに表示された文字又は画像からの光線が、空中結像素子を介して空中に実像Ｒを形成するプロンプタであって、空中結像素子は、入射画像の光線を屈曲させ、空中に実像を形成する一又は複数の光学素子を含む。空中結像素子は、一又は複数の半透明反射鏡を含み、光学素子は、底部が反射膜でメッキ処理された透明球体である。【選択図】図１１
0003232126.tif 000002
【実用新案登録請求の範囲】
【請求項１】
本体、ディスプレイ及び空中結像素子を含み、前記空中結像素子が、前記ディスプレイの上方に配置され、前記本体が前記ディスプレイに接続されており、前記ディスプレイに表示された文字又は画像からの光線が、前記空中結像素子を介して空中に実像を形成することを特徴とするプロンプタ。
【請求項２】
前記空中結像素子は、入射画像の光線を屈曲させ、空中に実像を形成する一又は複数の光学素子を含むことを特徴とする請求項１に記載のプロンプタ。
【請求項３】
前記空中結像素子は、一又は複数の半透明反射鏡を含むことを特徴とする請求項１に記載のプロンプタ。
【請求項４】
前記光学素子は、底部が反射膜でメッキ処理された透明球体であることを特徴とする請求項２に記載のプロンプタ。
【請求項５】
前記光学素子が透明体直角鏡であり、前記直角鏡の上半部が透明体で、下半部が直角鏡であることを特徴とする請求項２に記載のプロンプタ。
【請求項６】
前記透明又は半透明球体の屈折率が２であることを特徴とする請求項４又は５に記載のプロンプタ。
【請求項７】
前記光学素子が水平面上に整列されていることを特徴とする請求項４又は５に記載のプロンプタ。
【請求項８】
前記光学素子は、透明板の内部に、一定距離を置いて並置され、帯状の平面光反射部が形成された第１光制御パネルであり、第２光制御パネルは、前記第１光制御パネルの平面光反射部及び第２光制御パネルの平面光反射部が交差方式で対向配置された光学結像装置であることを特徴とする請求項１又は２に記載のプロンプタ。
【請求項９】
前記空中結像素子はＤＣＲＡ光学素子であることを特徴とする請求項１又は２に記載のプロンプタ。
【請求項１０】
前記空中結像素子は、大きさが１００μｍの小さな鏡から構成されたＤＣＲＡ光学素子であることを特徴とする請求項１０に記載のプロンプタ。
【請求項１１】
請求項１乃至１０のいずれか１項に記載のプロンプタを含むプロンプタ装置であって、暗箱を備え、前記プロンプタの前記空中結像素子は前記暗箱の開口の直上に配置されており、前記プロンプタの前記本体と前記ディスプレイで構成されたディスプレイ装置が前記暗箱内に配置され、前記ディスプレイ装置におけるディスプレイの画面は、空中結像素子での屈折によって、空中で集束され、空中に実像を形成することを特徴とするプロンプタ装置。
【請求項１２】
前記ディスプレイ装置のディスプレイは空中結像素子と０乃至９０°の角度を形成することを特徴とする請求項１１に記載のプロンプタ装置。
【請求項１３】
前記角度は４５°であることを特徴とする請求項１２に記載のプロンプタ装置。
【請求項１４】
前記ディスプレイ装置はコンピュータ、ノートパソコン又はプロジェクタであることを特徴とする請求項１１に記載のプロンプタ装置。
【請求項１５】
前記暗箱は、講演者のジェスチャー動作を識別するためのジェスチャー認識カメラを備え、前記ディスプレイ装置は前記ジェスチャー認識カメラに接続されており、前記ディスプレイ装置に動作識別装置が設けられており、この装置はカメラによって認識されたジェスチャーの変化に基づいて、前記ディスプレイ装置の画面変化を生じさせることを特徴とする請求項１１に記載のプロンプタ装置。
【請求項１６】
前記暗箱の下にスタンドが配置されていることを特徴とする請求項１１に記載のプロンプタ装置。
【請求項１７】
前記暗箱内にディスプレイ角度調整装置が配置されていることを特徴とする請求項１２に記載のプロンプタ装置。
【考案の詳細な説明】
【技術分野】
【０００１】
本発明は光学結像分野に関し、特にプロンプタ及びプロンプタにおける空中結像素子の使用方法に関する。
【背景技術】
【０００２】
一般的なプロンプタは、ディスプレイ１、ビームスプリッタ２、プロンプタ本体（コンピュータ）及び制御ソフトウェア、通信ケーブルなど重要部品から構成されている。図１に示すように、テレビ局でプロンプタを使用するとき、プロンプタをカメラ３と一緒に三脚ホルダ４に配置して使用する。プロンプタがカメラの前に配置され、カメラ３がプロンプタのフードの後ろに配置されることにより、プロンプタを使用する時には原稿を表示でき、カメラも正常に撮影ができる。プロンプタのビームスプリッタは透明のガラスボードであるため、カメラの撮影に影響を与えない。プロンプタの動作原理はシンプルで、文字内容は本体を介して出力され、ディスプレイを介して、ビームスプリッタで反射されることにより、原稿を表示することができる。このことは、上記のスタジオプロンプタ構造図で理解できる。
【０００３】
しかしながら、このようなプロンプタはカメラの移動撮影には不便である。三脚ホルダの高さを調整する必要があり、また、ビームスプリッタの体積が大きくて壊れやすいため使用には不便である。
【考案の概要】
【考案が解決しようとする課題】
【０００４】
上記の問題を解決するため、本発明はプロンプタ及びプロンプタシステムにおける空中結像素子の使用方法を提供する。
【０００５】
すなわち、プロンプタシステムにおける文字又は画像の光線に、空中結像素子を介して空中に実像を形成させるようにする、プロンプタシステムにおける空中結像素子の使用方法である。
【０００６】
前記空中結像素子は、入射画像の光線を屈曲させ、空中で実像を形成する一又は複数の光学素子を含む。
【０００７】
前記空中結像素子は、一又は複数の半透明反射鏡を含む。
【０００８】
好ましくは、前記光学素子は、底部が反射膜でメッキ処理された透明又は半透明球体で
ある（すなわち、半透明小球が配列された再帰反射シート）、又は、半透明の直角鏡であり（すなわち、直角鏡が配列された再帰反射シート）、前記直角鏡の上半部は透明体、下半部は直角鏡である。透明又は半透明球体はガラス製、直角鏡はアクリル板にする。前記透明又は半透明球体の屈折率は２である。
【０００９】
好ましくは、前記光学素子が一の水平面上に整列されている。
【００１０】
好ましくは、前記光学素子が粘着層で基板に固定されている。
【００１１】
好ましくは、前記基板が布表面である。
【００１２】
更に、本発明は構造が簡単で、使用に便利なプロンプタを提供する。
【００１３】
すなわち、本体、ディスプレイ及び空中結像素子を備えるプロンプタである。空中結像素子はディスプレイの上方に配置され、本体はディスプレイに接続されている。ディスプレイに表示された文字及び画像光線は、空中結像素子を介して空中に実像を形成する。
【００１４】
前記空中結像素子は、入射した画像光線を屈曲させ、空中に実像を形成する一又は複数の光学素子を含む。
【００１５】
前記空中結像素子は、一又は複数の半透明反射鏡を含む。
【００１６】
好ましくは、前記光学素子は、底部が反射膜でメッキ処理された透明又は半透明の球体であり（すなわち、半透明小球が配列された再帰反射シート）、または、半透明の直角鏡であり（すなわち、直角鏡が配列された再帰反射シート）、前記直角鏡の上半部は透明体、下半部は直角鏡である。透明又は半透明球体はガラス製、直角鏡はアクリル板にする。前記透明又は半透明球体の屈折率は２である。
【００１７】
好ましくは、前記光学素子は水平面上に整列されている。
【００１８】
好ましくは、前記光学素子は粘着層で基板に固定されている。好ましくは、前記基板は布表面である。
【００１９】
好ましくは、前記光学素子は、透明板の内部に、一定距離を置いて並置され、帯状の平面光反射部が形成された第１光制御パネルである。第２光制御パネルは、前記第１光制御パネルの平面光反射部及び第２光制御パネルの平面光反射部が交差方式で対向配置された光学結像装置である。（具体的な光学素子構造は中国特許ＣＮ２０１３８００５３５１７を参照のこと）。
【００２０】
好ましくは、前記空中結像素子はＤＣＲＡ（Ｄｉｈｅｄｒａｌ  Ｃｏｒｎｅｒ  Ｒｅｆｌｅｃｔｏｒ  Ａｒｒａｙ）光学素子である。更に好ましくは、前記空中結像素子は大きさが１００μｍの小さな鏡から構成されたＤＣＲＡ光学素子である。（具体的なＤＣＲＡ光学素子の構造は、中国特許２００７８００１０３５０．４を参照のこと）。
【課題を解決するための手段】
【００２１】
プロンプタ装置であり、プロンプタは、本体、ディスプレイ及び空中結像素子を備える。空中結像素子はディスプレイの上方に配置され、本体はディスプレイに接続されている。プロンプタ装置は暗箱を具備する。プロンプタの空中結像素子は暗箱の開口の直上に配置されており、プロンプタの本体とディスプレイで構成されたディスプレイ装置が暗箱内に置かれて、ディスプレイ装置におけるディスプレイの画面は、空中結像素子での屈折によって、空中で集束され、空中に実像を形成する。
【００２２】
好ましくは、前記ディスプレイ装置のディスプレイと空中結像素子は０乃至９０°の角度を形成する。なお、最適な角度は４５°である。
【００２３】
好ましくは、ディスプレイ角度調整装置は、暗箱内に配置されてもよい。
【００２４】
好ましくは、前記ディスプレイ装置はコンピュータ、ノートパソコン又はプロジェクタである。
【００２５】
好ましくは、前記暗箱は、講演者のジェスチャー動作を識別するためのジェスチャー認識カメラを備え、ディスプレイ装置はジェスチャー認識カメラに接続されている。
【００２６】
好ましくは、前記暗箱の下にはスタンドが設けられている。
【考案の効果】
【００２７】
本発明における空中結像素子は、製造が容易でコストが低い。空中結像素子がディスプレイに表示される映像を空中に実像として形成し、特定の角度のみ見える（画面の視野範囲は、画面に対して垂直な方向から約３０°をなす角度で、両側に観測面が形成される）。ニュース放送や講演などの場合における使用が便利でライブ視聴及び録画に影響を与えない。
【００２８】
本発明におけるプロンプタ装置の外観は講演台に類似し、暗箱とスタンドで構成される。暗箱の開口の直上にナノ材料ガラスが配置される（空中結像素子）。ディスプレイ装置が暗箱の中に配置される。前記ディスプレイ装置は、コンピュータ、ノートパソコン又はプロジェクトとすることができる。しかしながら、これには限定されない。ディスプレイ装置はジェスチャー認識カメラに接続されている。講演者のジェスチャーを認識するため、前記ジェスチャー認識カメラは暗箱の外側に配置されている。ディスプレイ装置には動作識別装置が設けられており、この装置はカメラによって認識されたジェスチャーの変化に基づいて、ディスプレイ装置の画面変化を生じさせる。暗箱の中に配置されたディスプレイ装置の画面は、ナノ材料ガラスでの二回の屈折によって空中で集束され、空中に映像を形成する。講演者の講演内容は空中に映像として表示される。コンピュータのディスプレイは、図１２に示すように、暗箱の中に配置される。コンピュータのディスプレイはガラスボードを中心にして空中の映像と対称になっている。従って、コンピュータのディスプレイは上下逆さまに配置されて一定の角度を形成する。この角度は例えば４５°である。しかし、他の角度でも空中に結像させることができる。本発明は限定されていない。更に、本発明は暗箱内にディスプレイ調整装置が設けられ、観者の高さ及び目の位置に応じて、暗箱内のコンピュータディスプレイを調整できる。ディスプレイを調整することで、空中映像の傾斜角を調整でき、講演者の最適なビュー位置を調整することができる。前記装置の正面視野範囲を、図１３に示す。空中映像の水平面での幅は、暗箱中のコンピュータのディスプレイの幅と同じである。画面の視野範囲は、画面に対して垂直な方向から約３０°をなす角度で、両側に観測面が形成される。
【図面の簡単な説明】
【００２９】
【図１】従来技術のプロンプタの使用を示す概略図である。
【図２】本発明の実施形態１がニュース放送に使用されることを示す概略図であり、Ｒは実像である。
【図３】図２のプロンプタの動作状態を示す概略図である。
【図４】本発明の実施形態１において、半透明小球が再帰反射シートに配列された空中映像素子の構成概略図である。
【図５】本発明の実施形態１の光学素子の光学原理の概略図である。小さな半透明ボールの反射配列
【図６】本発明の実施形態２が講演に使用される様子を示す概略図である。
【図７】図６のプロンプタの動作状態を示す概略図であり、Ｒは実像である。
【図８】本発明の実施形態２において、直角鏡が再帰反射シートに配列された空中映像素子の構成概略図である。
【図９】本発明の実施形態２の光学素子の光学原理の概略図である。直角鏡配列
【図１０】本発明の実施形態１及び２におけるプロンプタの原理概略図である。
【図１１】本発明の実施形態３の構成概略図である。
【図１２】本発明の実施形態３の使用概略図である。
【図１３】本発明の実施形態３の原理図である。
【考案を実施するための形態】
【００３０】
以下、具体的な実施形態に基づいて本発明について詳細に説明する。
【００３１】
＜実施形態１＞
図２乃至５及び１０に示されているのは、本体とディスプレイとを備えるプロンプタである。本体が、アナウンサーが使っている机１１の下、又は内部に配置されている。ディスプレイが机表面１２の下に配置されている。本体はディスプレイに接続されている。机１１の内部には結像素子１２が配置されている。空中結像素子はディスプレイの上方に設けられている。ディスプレイに表示される文字又は画像の光線が、空中結像素子を介して空中に実像Ｒを形成することにより、アナウンサーは見下ろさなくても、実像Ｒを直接見ることができる。
【００３２】
図４乃至５に示すよう、前記空中結像素子は、入射画像の光線を屈曲させ、空中に実像を形成する一又は複数の光学素子１を含む。前記光学素子は、底部が反射膜でメッキ処理された透明又は半透明球体であり、透明又は半透明球体は一水平面上に整列されている。（小球の反射配列）前記ディスプレイに表示される画像からの光線は、透明又は半透明球体（光学素子１）底部の反射膜で少なくとも２回反射されて、入射画像に応じた実像を空中に形成する。透明球体１（すなわち、半円弧状反射面２）の直径は１ｍｍ未満で、屈折率は２である。
【００３３】
好ましくは、前記空中結像素子は、半透明の反射鏡を含み、一部分のディスプレイの光線を反射して光学素子１から構成された小球の反射配列に届けることができる。また、必要に応じて角度を調整することができる。
【００３４】
光学素子１から構成された小球の反射配列は、粘着層３によって布表面４に固定されている。
【００３５】
好ましくは、前記プロンプタは、有線又は無線手段でヒューマンコンピュータインタラクションすることができる。
【００３６】
＜実施形態２＞
図６乃至１０に示されているのは、本体とディスプレイとを備えるプロンプタである。本体が講演者が使っている講演台１４の下又は内部に配置されている。ディスプレイが講演台表面１３の下に配置されている。本体はディスプレイに接続されている。講演台内部には空中結像素子が配置されている。空中結像素子はディスプレイの上に配置されている。ディスプレイに表示される文字及び画像からの光線が、空中結像素子を介して、空中に実像Ｒを形成することにより、講演者は見下ろしなくても実像Ｒを直接見ることができる。
【００３７】
図８乃至９に示すよう、前記空中結像素子は、入射画像を屈曲させて、空中に実像を形成
する一又は複数の光学素子１を含む。光学素子は半透明直角鏡であり、直角鏡の上半部は透明帯であり、下半部は直角鏡である。透明体は、ガラス材料であることが好ましく、直角鏡はアクリル板にする。前記半透明直角鏡（光学素子１）は、一水平面上に配列されている（直角鏡反射配列）。前記ディスプレイに表示される画像からの光線は、直角鏡で反射されて、入射画像に応じた実像Ｒを空中に形成する。
【００３８】
好ましくは、前記空中結像素子は、一つの半透明反射鏡を含み、ディスプレイの光線を部分反射して光学素子１から構成された直角鏡の反射配列に届けることができる。また、必要に応じて角度を調整することができる。
【００３９】
光学素子１から構成された直角鏡の反射配列は、粘着層３によって布表面４に固定されている。
【００４０】
好ましくは、前記プロンプタは有線又は無線手段で人とインタラクティブすることができる。
【００４１】
＜実施形態３＞
図１１乃至１３に示すよう、暗箱３１及びスタンド３２を備えるプロンプタ装置であり、暗箱３１の開口の直上に空中結像素子３３が配置されている。暗箱３１の中にはディスプレイ装置３４が配置されている。ディスプレイ装置３４に表示される画面が空中結像素子における二回の屈折によって空中で集束されて、実像Ｒを空中に形成する。すなわち、講演者の講演内容が空中に映像として映される。暗箱３１の中には、ディスプレイ装置３４のディスプレイ３４０（例えば、コンピュータのディスプレイ）が、図１２に示すように配置されている。ディスプレイ３４０（例えば、コンピュータのディスプレイ）の画面は、ガラスボード（空中結像素子３３）を中心にして空中映像Ｒと対称になっている。従って、ディスプレイ３４０（例えば、コンピュータのディスプレイ）は上下逆さまに配置されて、例えば４５°である一定の角度を形成している。しかしながら、他の角度でも空中結像を得ることができる。本発明はこれに限定されるものではない。更に、本発明において、暗箱３１にはディスプレイ調整装置が設けられ、観察者の高さ及び目の位置に応じて、暗箱内のディスプレイ３４０（例えば、コンピュータのディスプレイ）を調整できる。画面を調整することで、空中での映像の傾斜角を調整でき、講演者の最適なビュー位置を調整することができる。前記装置の正面視野範囲を図１３に示す。空中映像の水平面の幅は、暗箱３１中のディスプレイ３４０（例えば、コンピュータのディスプレイ）の幅と同じである。画面の視野範囲は、画面に対して垂直方向から約３０°をなす角度で、両側に観測面が形成される。
【００４２】
好ましくは、ディスプレイ装置３４はコンピュータ、ノートパソコン又はプロジェクタとしてよい。
【００４３】
暗箱３１に、講演者のジェスチャー動作を認識するためのジェスチャー認識カメラ３５が配置されている。ディスプレイ装置３４はジェスチャー認識カメラ３５に接続されている。ディスプレイ装置３４には動作識別装置が設けられている。この装置はカメラ３５によって認識されたジェスチャーの変化に基づいて、ディスプレイ装置の画面変化を生じさせる。
【図１】
0003232126.tif 000003
【図２】
0003232126.tif 000004
【図３】
0003232126.tif 000005
【図４】
0003232126.tif 000006
【図５】
0003232126.tif 000007
【図６】
0003232126.tif 000008
【図７】
0003232126.tif 000009
【図８】
0003232126.tif 000010
【図９】
0003232126.tif 000011
【図１０】
0003232126.tif 000012
【図１１】
0003232126.tif 000013
【図１２】
0003232126.tif 000014
【図１３】
0003232126.tif 000015
【手続補正書】
【提出日】令和3年3月8日(2021.3.8)
【手続補正１】
【補正対象書類名】実用新案登録請求の範囲
【補正対象項目名】全文
【補正方法】変更
【補正の内容】
【実用新案登録請求の範囲】
【請求項１】
本体、ディスプレイ及び空中結像素子を含み、前記空中結像素子が、前記ディスプレイの上方に配置され、前記本体が前記ディスプレイに接続されており、前記ディスプレイに表示された文字又は画像からの光線が、前記空中結像素子を介して空中に実像を形成することを特徴とするプロンプタ。
【請求項２】
前記空中結像素子は、入射画像の光線を屈曲させ、空中に実像を形成する一又は複数の光学素子を含むことを特徴とする請求項１に記載のプロンプタ。
【請求項３】
前記空中結像素子は、一又は複数の半透明反射鏡を含むことを特徴とする請求項１に記載のプロンプタ。
【請求項４】
前記光学素子は、底部が反射膜でメッキ処理された透明球体であることを特徴とする請求項２に記載のプロンプタ。
【請求項５】
前記光学素子が透明体直角鏡であり、前記直角鏡の上半部が透明体で、下半部が直角鏡であることを特徴とする請求項２に記載のプロンプタ。
【請求項６】
前記透明又は半透明球体の屈折率が２であることを特徴とする請求項４又は５に記載のプロンプタ。
【請求項７】
前記光学素子が水平面上に整列されていることを特徴とする請求項４又は５に記載のプロンプタ。
【請求項８】
前記光学素子は、透明板の内部に、一定距離を置いて並置され、帯状の平面光反射部が形成された第１光制御パネルであり、第２光制御パネルは、前記第１光制御パネルの平面光反射部及び第２光制御パネルの平面光反射部が交差方式で対向配置された光学結像装置であることを特徴とする請求項２に記載のプロンプタ。
【請求項９】
前記空中結像素子はＤＣＲＡ光学素子であることを特徴とする請求項１又は２に記載のプロンプタ。
【請求項１０】
前記空中結像素子は、大きさが１００μｍの小さな鏡から構成されたＤＣＲＡ光学素子であることを特徴とする請求項９に記載のプロンプタ。
【請求項１１】
請求項１乃至１０のいずれか１項に記載のプロンプタを含むプロンプタ装置であって、暗箱を備え、前記プロンプタの前記空中結像素子は前記暗箱の開口の直上に配置されており、前記プロンプタの前記本体と前記ディスプレイで構成されたディスプレイ装置が前記暗箱内に配置され、前記ディスプレイ装置におけるディスプレイの画面は、空中結像素子での屈折によって、空中で集束され、空中に実像を形成することを特徴とするプロンプタ装置。
【請求項１２】
前記ディスプレイ装置のディスプレイは空中結像素子と０乃至９０°の角度を形成することを特徴とする請求項１１に記載のプロンプタ装置。
【請求項１３】
前記角度は４５°であることを特徴とする請求項１２に記載のプロンプタ装置。
【請求項１４】
前記ディスプレイ装置はコンピュータ、ノートパソコン又はプロジェクタであることを特徴とする請求項１１に記載のプロンプタ装置。
【請求項１５】
前記暗箱は、講演者のジェスチャー動作を識別するためのジェスチャー認識カメラを備え、前記ディスプレイ装置は前記ジェスチャー認識カメラに接続されており、前記ディスプレイ装置に動作識別装置が設けられており、この装置はカメラによって認識されたジェスチャーの変化に基づいて、前記ディスプレイ装置の画面変化を生じさせることを特徴とする請求項１１に記載のプロンプタ装置。
【請求項１６】
前記暗箱の下にスタンドが配置されていることを特徴とする請求項１１に記載のプロンプタ装置。
【請求項１７】
前記暗箱内にディスプレイ角度調整装置が配置されていることを特徴とする請求項１２に記載のプロンプタ装置。